(57)【要約】【課題】透析治療時以外の時間帯において供給側ライン及び排出側ラインでの透析液の滞留を回避することができるとともに、透析治療を即座に再開させることができる透析装置を提供する。【解決手段】ダイアライザ２に供給される透析液を流通させる供給側ライン４、その供給した透析液を流通させる排出側ライン５、及び複式ポンプ７及び除水ポンプ９（ポンプ手段）を具備した透析装置本体１と、制御手段１２とを備え、透析治療時に供給側ライン４及び排出側ライン５の先端にダイアライザ２を接続可能とされるとともに透析治療時以外の時間帯に当該供給側ライン４及び排出側ライン５の先端を接続して連通可能とされた透析装置において、制御手段１２は、透析治療時以外の任意時間帯でポンプ手段を駆動させ、供給側ライン４から排出側ライン５に向かって透析液を流動させるものである。【選択図】図２
2010029376.tif 000002
【特許請求の範囲】
【請求項１】
血液浄化器に供給される透析液を流通させる供給側ライン、当該血液浄化器から排出される透析液を流通させる排出側ライン、及び当該供給側ラインから排出側ラインに向かって透析液を流動させ得るポンプ手段を具備した透析装置本体と、
透析治療時に前記ポンプ手段の駆動を制御し得る制御手段と、
を備え、透析治療時に前記供給側ライン及び排出側ラインの先端に前記血液浄化器を接続可能とされるとともに透析治療時以外の時間帯に当該供給側ライン及び排出側ラインの先端を接続して連通可能とされた透析装置において、
前記制御手段は、透析治療時以外の任意時間帯で前記ポンプ手段を駆動させ、前記供給側ラインから排出側ラインに向かって透析液を流動させることを特徴とする透析装置。
【請求項２】
前記透析治療時以外の任意時間帯は、１日における透析治療の合間の時間帯であることを特徴とする請求項１記載の透析装置。
【請求項３】
前記制御手段は、透析治療時以外の任意時間帯において、透析治療時よりも低速で前記ポンプ手段を駆動させ、前記供給側ラインから排出側ラインに向かって透析液を低流量で流動させることを特徴とする請求項１又は請求項２記載の透析装置。
【請求項４】
前記制御手段は、透析治療時以外の任意時間帯において、前記ポンプ手段を間欠的に駆動させ、前記供給側ラインから排出側ラインに向かって透析液を間欠的に流動させることを特徴とする請求項１〜３の何れか１つに記載の透析装置。
【請求項５】
前記透析装置本体は、前記供給側ラインと排出側ラインとを連通させるバイパスラインと、当該バイパスラインの途中に配設されて流路を開閉可能なバイパスライン用電磁弁とを具備するとともに、前記制御手段は、透析治療時以外の任意時間帯において、前記ポンプ手段に加えて当該バイパスライン用電磁弁の開閉動作を制御するものであることを特徴とする請求項１〜４の何れか１つに記載の透析装置。
【請求項６】
前記供給側ラインの先端と排出側ラインの先端との接続を検知する接続検知手段を具備するとともに、前記制御手段は、当該接続検知手段による検知を条件として、透析治療時以外の任意時間帯における前記ポンプ手段の駆動を行わせることを特徴とする請求項１〜５の何れか１つに記載の透析装置。
【発明の詳細な説明】
【技術分野】
【０００１】
本発明は、ダイアライザなどの血液浄化器に透析液を供給又は排出するための透析装置に関するものである。
【背景技術】
【０００２】
透析治療においては、先端に穿刺針が接続された血液回路の途中にダイアライザを接続しておき、血液ポンプを駆動させることにより該血液回路にて患者の血液を体外循環させる一方、透析装置からダイアライザに透析液を供給しつつ老廃物を含んだ透析液を排出させる。即ち、ダイアライザ内には中空糸膜などの透過膜が収容されるとともに、当該透過膜を介して血液を流通させる血液流路と透析液を流通させる透析液流路とが形成されており、血液中の老廃物を透析液側に透過させ排出することにより浄化可能とされているのである。
【０００３】
上記透析装置は、ダイアライザに供給される透析液を流通させる供給側ライン、当該ダイアライザから排出される透析液を流通させる排出側ライン、及び当該供給側ラインから排出側ラインに向かって透析液を流動させ得る複式ポンプや除水ポンプ等から成るポンプ手段を具備した透析装置本体を備えている。然るに、供給側ライン先端及び排出側ライン先端をダイアライザに各々接続し、ポンプ手段を駆動させることにより、当該ダイアライザの透析液流路に透析液を供給するとともに当該透析液流路を通過した透析液を老廃物と共に排出させるよう構成されている。
【０００４】
また、従来の透析装置は、透析治療時以外の時間帯において、ダイアライザが取り外された供給側ラインの先端及び排出側ラインの先端をカプラ等の接続手段にて接続させ、これら供給側ラインと排出側ラインとが連通可能とされていた。尚、かかる先行技術は、文献公知発明に係るものでないため、記載すべき先行技術文献情報はない。
【発明の開示】
【発明が解決しようとする課題】
【０００５】
しかしながら、上記従来の透析装置においては、透析治療時以外の時間帯であって透析治療の合間（１日に複数回透析治療が行われる場合であって透析治療のクール間）、透析液が供給側ライン及び排出側ラインに滞留してしまい、衛生的な観点から問題があった。また、近時においては、透析治療時が終了した時点で供給側ライン及び排出側ラインに洗浄水及び消毒液を流動させ、洗浄及び消毒を行わせる透析装置が提案されるに至っているが、この場合、洗浄工程及び消毒工程の途中で次クールや突発で生じた透析治療を直ぐに開始させることができず、洗浄水又は消毒液を透析液と十分に置換させた後に透析治療を再開させる必要があるという不具合もあった。
【０００６】
本発明は、このような事情に鑑みてなされたもので、透析治療時以外の時間帯において供給側ライン及び排出側ラインでの透析液の滞留を回避することができるとともに、透析治療を即座に再開させることができる透析装置を提供することにある。
【課題を解決するための手段】
【０００７】
請求項１記載の発明は、血液浄化器に供給される透析液を流通させる供給側ライン、当該血液浄化器から排出される透析液を流通させる排出側ライン、及び当該供給側ラインから排出側ラインに向かって透析液を流動させ得るポンプ手段を具備した透析装置本体と、透析治療時に前記ポンプ手段の駆動を制御し得る制御手段とを備え、透析治療時に前記供給側ライン及び排出側ラインの先端に前記血液浄化器を接続可能とされるとともに透析治療時以外の時間帯に当該供給側ライン及び排出側ラインの先端を接続して連通可能とされた透析装置において、前記制御手段は、透析治療時以外の任意時間帯で前記ポンプ手段を駆動させ、前記供給側ラインから排出側ラインに向かって透析液を流動させることを特徴とする。
【０００８】
請求項２記載の発明は、請求項１記載の透析装置において、前記透析治療時以外の任意時間帯は、１日における透析治療の合間の時間帯であることを特徴とする。
【０００９】
請求項３記載の発明は、請求項１又は請求項２記載の透析装置において、前記制御手段は、透析治療時以外の任意時間帯において、透析治療時よりも低速で前記ポンプ手段を駆動させ、前記供給側ラインから排出側ラインに向かって透析液を低流量で流動させることを特徴とする。
【００１０】
請求項４記載の発明は、請求項１〜３の何れか１つに記載の透析装置において、前記制御手段は、透析治療時以外の任意時間帯において、前記ポンプ手段を間欠的に駆動させ、前記供給側ラインから排出側ラインに向かって透析液を間欠的に流動させることを特徴とする。
【００１１】
請求項５記載の発明は、請求項１〜４の何れか１つに記載の透析装置において、前記透析装置本体は、前記供給側ラインと排出側ラインとを連通させるバイパスラインと、当該バイパスラインの途中に配設されて流路を開閉可能なバイパスライン用電磁弁とを具備するとともに、前記制御手段は、透析治療時以外の任意時間帯において、前記ポンプ手段に加えて当該バイパスライン用電磁弁の開閉動作を制御するものであることを特徴とする。
【００１２】
請求項６記載の発明は、請求項１〜５の何れか１つに記載の透析装置において、前記供給側ラインの先端と排出側ラインの先端との接続を検知する接続検知手段を具備するとともに、前記制御手段は、当該接続検知手段による検知を条件として、透析治療時以外の任意時間帯における前記ポンプ手段の駆動を行わせることを特徴とする。
【発明の効果】
【００１３】
請求項１、２の発明によれば、制御手段は、透析治療時以外の任意時間帯（特に請求項２においては１日における透析治療の合間の時間帯）でポンプ手段を駆動させ、供給側ラインから排出側ラインに向かって透析液を流動させるので、透析治療時以外の時間帯において供給側ライン及び排出側ラインでの液の滞留を回避することができるとともに、透析治療を即座に再開させることができる。
【００１４】
請求項３の発明によれば、供給側ラインから排出側ラインに向かって透析液を低流量で流動させるので、透析治療時以外の任意時間帯における透析液の流通量を抑制しコストを低減させることができる。
【００１５】
請求項４の発明によれば、ポンプ手段を間欠的に駆動させ、供給側ラインから排出側ラインに向かって透析液を間欠的に流動させるので、透析治療時以外の任意時間帯における透析液の流通量を抑制しコストを低減させることができるとともに、間欠的な流動により供給側ライン及び排出側ラインに対する洗浄効果を向上させることができる。
【００１６】
請求項５の発明によれば、制御手段は、透析治療時以外の任意時間帯において、ポンプ手段に加えてバイパスライン用電磁弁の開閉動作を制御するので、バイパスラインの流動抵抗が供給側ライン及び排出側ラインと比べて比較的高い場合であっても、当該バイパスラインに対し確実に透析液を流動させることができる。
【００１７】
請求項６の発明によれば、制御手段は、接続検知手段による検知を条件として、透析治療時以外の任意時間帯における前記ポンプ手段の駆動を行わせるので、供給側ラインの先端と排出側ラインの先端との接続がなされていない状態での透析液の流動を回避することができ、誤作動を確実に防止することができる。
【発明を実施するための最良の形態】
【００１８】
以下、本発明の実施形態について図面を参照しながら具体的に説明する。
本実施形態に係る透析装置は、図１に示すように、供給側ライン４及び排出側ライン５を有した透析装置本体１や、該透析装置本体１内に配設されたマイコン等から成る制御手段１２等を具備して成り、透析治療時においては、供給側ライン４の先端及び排出側ライン５の先端がダイアライザ２（血液浄化器）に接続され、当該ダイアライザ２に対して透析液を供給及び排出し得るよう構成されている。ダイアライザ２は、内部に中空糸膜を具備しており、該中空糸膜を介して透析液流路及び血液流路が形成されている。
【００１９】
透析液流路は、上記供給側ライン４から導入された透析液を流通させ、その透析液を排出側ライン５から排出させ得る透析液の流路であり、中空糸膜を介して血液流路が形成されている。血液流路は、血液回路３と接続されており、該血液回路３によって患者の血液を体外で循環させる過程において、含有する老廃物等が中空糸膜を透過し、透析液流路中を流れる透析液に至ることにより透析治療が行われる。
【００２０】
供給側ライン４は、透析治療時において、その先端（一端）がダイアライザ２に接続されるとともに他端が清浄水の供給源に接続されており、その途中において、加温器、絞り機構、脱気用チャンバ、ミキシング用チャンバ（何れも不図示）等の構成要素が複数接続されている。而して、供給源から流れてきた清浄水とミキシング用チャンバに吸い上げられた透析液の原液とがミキシングされ、適切な濃度とされて透析液を作製した後、供給側ライン４の更なる下流側（ダイアライザ２及び排出側ライン５側）へ流動させるものである。
【００２１】
排出側ライン５は、透析治療時において、その先端（一端）がダイアライザ２に接続されるとともに他端が排液手段（不図示）に接続されており、その途中には、後述する複式ポンプ７を迂回する形で除水ライン８が延設されている。かかる除水ライン８の途中には、ダイアライザ３中を流れる患者の血液から水分を除去するための除水ポンプ９が配設されている。かかる除水ポンプ９は、容積型ポンプ（プランジャーポンプ）から成るものである。
【００２２】
更に、透析装置本体１には、上記供給側ライン４における複式ポンプ７より下流側と、排出側ライン５における複式ポンプ７より上流側とを連通すべくバイパスライン６が接続されている。このバイパスライン６は、後述するカプラ１０（接続手段）を介さずに供給側ライン４と排出側ライン５とを連通させるラインから成り、その途中には当該バイパスラインの流路を開閉可能なバイパスライン用電磁弁Ｖ３が配設されている。
【００２３】
一方、供給側ライン４及び排出側ライン５の途中（供給側ライン４におけるバイパスライン６との連結部位より下流側、及び排出側ライン５におけるバイパスライン６との連結部位より上流側）には、それぞれの流路を開閉可能な供給側電磁弁Ｖ１及び排出側電磁弁Ｖ２が配設されている。これら供給側電磁弁Ｖ１、排出側電磁弁Ｖ２、及び上記したバイパスライン用電磁弁Ｖ３は、後述する制御手段１２と電気的に接続されており、当該制御手段１２により開閉動作が制御されるよう構成されている。
【００２４】
複式ポンプ７は、透析装置本体１内で供給側ライン４及び排出側ライン５に跨って配設され、供給側と排液側とが略等量とされた定量型のポンプから成るとともに、駆動により、当該供給側ライン４からダイアライザ２（血液浄化器）に対して透析液を導入させるとともに、当該ダイアライザ２に導入された透析液を老廃物と共に排出側ライン５から排出させるためのものである。
【００２５】
また、複式ポンプ７が定量型であるため、除水ポンプ９を駆動させると、既述のように供給側ライン４から導入される透析液量よりも排出側ライン５から排出される液体の容量が多くなり、その多い容量分だけ血液中から水分が除去されるのである。これら複式ポンプ７と除水ポンプ９とは、本発明のポンプ手段（供給側ライン４から排出側ライン５に向かって透析液を流動させ得る手段）を構成するものである。
【００２６】
然るに、透析治療時には、上述したように、供給側ライン４及び排出側ライン５の先端にダイアライザ２（血液浄化器）を接続可能とされるとともに、透析治療時以外の時間帯（１日に複数透析治療が行われる場合であって当該透析治療の合間の時間帯：クール間）には、図２に示すように、当該供給側ライン４及び排出側ライン５の先端（カップリング）をバイパスコネクタ１０にて接続して連通可能とされている。即ち、透析治療時以外においては、バイパスコネクタ１０により供給側ライン４の先端と排出側ライン５の先端に形成されたカップリングが接続されて各流路が短絡した状態とされるのである。
【００２７】
また、本実施形態においては、供給側ライン４の先端と排出側ライン５の先端とのバイパスコネクタ１０による接続を検知する接続検知手段１１が配設されており、かかる接続検知手段１１により、両ラインの先端が正常に接続されたことを検知可能とされている。即ち、両ラインの先端が全く接続されていない状態は勿論、接続されていても正常には接続されていない状態も接続検知手段１１により検知可能とされているのである。
【００２８】
尚、本実施形態においては、透析装置本体１に供給側ライン４の先端と排出側ライン５の先端とを接続して連結した状態のバイパスコネクタ１０を設置可能なコネクタ受け（不図示）を設け、かかるコネクタ受けにバイパスコネクタ１０が設置されているか否かを検知することにより、供給側ライン４の先端と排出側ライン５の先端とのバイパスコネクタ１０による接続を検知するよう構成されているが、接続検知手段１１がバイパスコネクタ１０の所定部位に配設されたものとしてもよい。また、接続検知手段１１は、非接触式或いは接触式の何れのセンサであってもよい。
【００２９】
制御手段１２は、透析治療時に複式ポンプ７及び除水ポンプ９（ポンプ手段）の駆動を制御し得るもので、当該複式ポンプ７、除水ポンプ９と電気的に接続されるとともに、既述のように供給側電磁弁Ｖ１、排出側電磁弁Ｖ２及びバイパスライン用電磁弁Ｖ３と電気的に接続されてこれらの開閉動作を制御し得るよう構成されている。これにより、通常の透析治療時においては、バイパスライン用電磁弁Ｖ３を閉状態としつつ供給側電磁弁Ｖ１、排出側電磁弁Ｖ２を開状態とし、複式ポンプ７（除水時には除水ポンプ９も）を駆動させるよう制御することにより、ダイアライザ２を介して透析液を流通させ得るのである。尚、本実施形態における制御手段１２は、接続検知手段１１とも電気的に接続されており、接続検知手段１１にて供給側ライン４の先端と排出側ライン５の先端との接続が検知されると、その検知信号を受信し得るよう構成されている。
【００３０】
ここで、本実施形態における制御手段１２は、透析治療時以外の任意時間帯（１日に複数透析治療が行われる場合であって当該透析治療の合間の時間帯：クール間）で複式ポンプ７又は除水ポンプ９（ポンプ手段）を駆動させ、供給側ライン４から排出側ライン５に向かって透析液を流動させるよう構成されている。また、本実施形態においては、上記の如く透析治療時以外の任意時間帯において複式ポンプ７又は除水ポンプ９（ポンプ手段）を駆動させるモード（便宜上、これを「配管内清浄化モード」と呼ぶ。）を有効或いは無効とするための操作ボタン等から成るモード選択手段（不図示）が配設されている。
【００３１】
例えば、上記構成の透析装置において、配管内清浄化モードが有効とされた場合、１クールの透析治療が終了した後、図３に示すように、制御手段１２による制御（工程１〜工程４）が自動的に順次行われるようになっている。同図に示す工程表は、１台の透析装置における２０分あたりの使用透析液の上限が「ａ」（ｍＬ／ｍｉｎ）と設定された場合を示している。
【００３２】
より具体的に説明すると、制御手段１２による制御は以下の如く行われる。工程１（０．３×「ａ」（ｓ））において、電磁弁Ｖ１及びＶ２が開状態とされつつ電磁弁Ｖ３が閉状態とされ、バイパスライン６の流路が閉じた状態（バイパスコネクタ１０側は流路が開かれた状態）とされるとともに、複式ポンプ７が１００（ｍＬ／ｍｉｎ）の速度にて駆動され、除水ポンプ９が２０（ｍＬ／ｍｉｎ）の速度にて駆動される。これにより、供給側ライン４を流動した透析液は、バイパスコネクタ１０を介して排出側ライン５に至り、当該排出ライン５及び除水ライン８を流通して外部へ排出されることとなる。
【００３３】
次に、工程２（６００−（０．３×「ａ」）（ｓ））に移行し、電磁弁Ｖ１〜Ｖ３全てが閉状態とされ、供給側ライン４、排出側ライン５およびバイパスライン６の何れの流路も閉じた状態とされるとともに、複式ポンプ７及び除水ポンプ９の駆動が停止される。これにより、透析液は流動せず、当該工程２の時間において静止した状態が維持されることとなる。
【００３４】
続いて、工程３（０．３×「ａ」（ｓ））に移行し、電磁弁Ｖ１及びＶ２が閉状態とされつつ電磁弁Ｖ３が開状態とされ、バイパスライン６の流路が開かれた状態（バイパスコネクタ１０側は流路が閉じた状態）とされるとともに、複式ポンプ７が１００（ｍＬ／ｍｉｎ）の速度にて駆動され、除水ポンプ９が２０（ｍＬ／ｍｉｎ）の速度にて駆動される。これにより、供給側ライン４を流動した透析液は、バイパスライン６を流れて排出側ライン５に至り、当該排出ライン５及び除水ライン８を流通して外部へ排出されることとなる。
【００３５】
最後に、工程４（６００−（０．３×「ａ」）（ｓ））に移行し、工程２と同様、電磁弁Ｖ１〜Ｖ３全てが閉状態とされ、供給側ライン４、排出側ライン５およびバイパスライン６の何れの流路も閉じた状態とされるとともに、複式ポンプ７及び除水ポンプ９の駆動が停止される。これにより、透析液は流動せず、当該工程４の時間において静止した状態が維持されることとなる。
【００３６】
而して、本実施形態においては、上記工程１〜４を１サイクルとして、所定のサイクル数だけ繰り返し行わせるよう構成されている。サイクル数は、操作者が任意設定できるものとされ、モード選択手段（不図示）と同様、例えば操作ボタン等にて予め任意に設定可能とされている。尚、設定されるサイクル数は、病院等医療施設で予定されるクール数等を勘案して随時変更可能であるのが好ましい。
【００３７】
上記の如き制御によれば、透析治療時以外の任意時間帯において、透析治療時よりも低速で複式ポンプ７及び除水ポンプ９（ポンプ手段）を駆動させ、供給側ライン４から排出側ライン５に向かって透析液を低流量（本実施形態においては、０．５×「ａ」（ｍＬ））で流動させることができる。また、１サイクル内に工程２、４を含ませることにより、複式ポンプ７及び除水ポンプ９（ポンプ手段）を間欠的に駆動させ、供給側ライン４から排出側ライン５に向かって透析液を間欠的に流動させることができる。
【００３８】
次に、本実施形態の制御手段１２による制御内容について、図４のフローチャートに基づいて説明する。
まず、Ｓ１にて接続検知手段１１による検知信号が受信されたか否か（接続検知手段１１にて供給側ライン４の先端と排出側ライン５の先端との接続が検知されたか否か）が判定され、当該検知信号を受信したと判定されると、Ｓ２へ進み、配管内清浄化モードが有効とされているか否かが判定される。Ｓ１にて検知信号が受信されない、或いはＳ２にて配管内清浄化モードが無効とされていると判定された場合、制御が終了して次の動作待ちとされる。
【００３９】
一方、Ｓ２にて配管内清浄化モードが有効であると判定されると、工程１（Ｓ３）、工程２（Ｓ４）、工程３（Ｓ５）及び工程４（Ｓ６）が順次なされることとなる。尚、当該工程１〜工程４における制御内容については、図３の工程表を用いて説明した通りである。工程４が終了すると、Ｓ７へ進み、設定サイクル数に達したか否かが判定され、設定サイクル数に達していない場合は、Ｓ３へ戻って再び工程１〜４が行われるとともに、設定サイクル数に達している場合は、一連の制御が終了することとなる。
【００４０】
これにより、設定サイクルに達するまで工程１〜４が繰り返し行われることとなる。尚、工程１〜４の繰り返しがなされている過程において、以下の事象が発生した場合、割り込み制御により当該工程１〜４を終了させ一連の制御を終了させ得るようになっている。例えば、一連の制御を終了させる事象として、次（次クール）の透析治療が開始された際、接続検知手段１１による検知信号が途絶えカップリングがバイパスコネクタ１１から外れたことが把握された際、或いは供給側ライン４から供給されるべき透析液が空になった際などが挙げられる。
【００４１】
上記透析装置によれば、制御手段１２は、透析治療時以外の任意時間帯（本実施形態においては１日における透析治療の合間の時間帯）で複式ポンプ７及び除水ポンプ９（ポンプ手段）を駆動させ、供給側ライン４から排出側ライン５に向かって透析液を流動させるので、透析治療時以外の時間帯において供給側ライン４及び排出側ライン５での透析液の滞留を回避することができるとともに、透析治療を即座に再開させることができる。
【００４２】
即ち、透析治療時以外の任意時間帯において、透析液以外のもの（洗浄水や消毒液など）を流通させる透析装置とした場合、洗浄工程及び消毒工程の途中で次クールや突発で生じた透析治療を直ぐに開始させることができず、洗浄水又は消毒液を透析液と十分に置換させた後に透析治療を再開させる必要があるのに対し、透析液を流通させれば、置換の時間が不要とされて迅速な透析治療の再開を行わせることができるのである。
【００４３】
また、本実施形態においては、制御手段１２による制御にて供給側ライン４から排出側ライン５に向かって透析液を低流量で流動させるので、透析治療時以外の任意時間帯における透析液の流通量を抑制しコストを低減させることができる。更に、制御手段１２による制御にて複式ポンプ７及び除水ポンプ９（ポンプ手段）を間欠的に駆動させ、供給側ライン４から排出側ライン５に向かって透析液を間欠的に流動させるので、透析治療時以外の任意時間帯における透析液の流通量を抑制しコストを低減させることができるとともに、間欠的な流動により供給側ライン４及び排出側ライン５に対する洗浄効果を向上させることができる。
【００４４】
また更に、制御手段１２は、透析治療時以外の任意時間帯において、複式ポンプ７及び除水ポンプ９（ポンプ手段）に加えてバイパスライン用電磁弁Ｖ３の開閉動作を制御するので、バイパスライン６の流動抵抗が供給側ライン４及び排出側ライン５と比べて比較的高い場合であっても、例えば工程３を経ることにより、当該バイパスライン６に対し確実に透析液を流動させることができる。
【００４５】
また、制御手段１２は、接続検知手段１１による検知を条件として、透析治療時以外の任意時間帯における複式ポンプ７及び除水ポンプ９（ポンプ手段）の駆動を行わせるので、供給側ライン４の先端と排出側ライン５の先端との接続がなされていない状態での透析液の流動を回避することができ、誤作動を確実に防止することができる。
【００４６】
以上、本実施形態について説明したが、本発明はこれに限定されるものではなく、例えば供給側ライン４から排出側ライン５に向かって透析液を流動させ得るポンプ手段は、複式ポンプ７及び除水ポンプ９に代え、或いは複式ポンプ７及び除水ポンプ９に加え、他の形態或いは部位に配設されたポンプとしてもよい。また、制御手段１２は、透析治療時以外の任意時間帯において、透析治療時と同等の速度或いはそれよりも高速で複式ポンプ７及び除水ポンプ９（ポンプ手段）を駆動させ、或いは間欠でなく連続的に透析液を流動させるよう構成してもよい。
【００４７】
更に、バイパスライン６を具備しないものに適用可能であるとともに、当該バイパスライン６が供給側ライン４及び排出側ライン５と流動抵抗があまり変わらない場合、当該バイパスライン６と供給側ライン４及び排出側ライン５とにおいて両方同時に透析液を流動させるよう構成してもよい。
【産業上の利用可能性】
【００４８】
制御手段による制御にて透析治療時以外の任意時間帯でポンプ手段を駆動させ、供給側ラインから排出側ラインに向かって透析液を流動させる透析装置であれば、配管形状が異なるもの或いは他の機能が付加されたもの等にも適用できる。
【図面の簡単な説明】
【００４９】
【図１】本発明の実施形態に係る透析装置（治療時の状態）を示す模式図
【図２】同透析装置（治療時以外の状態）を示す模式図
【図３】同治療装置における制御手段により透析治療時以外の任意時間帯で行われる工程を示す工程表
【図４】同治療装置における制御手段による制御内容を示すフローチャート
【符号の説明】
【００５０】
１    透析装置本体
２    ダイアライザ（血液浄化器）
３    血液回路
４    供給側ライン
５    排出側ライン
６    バイパスライン
７    複式ポンプ（ポンプ手段）
８    除水ライン
９    除水ポンプ（ポンプ手段）
１０  バイパスコネクタ
１１  接続検知手段
１２  制御手段
Ｖ１  供給側電磁弁
Ｖ２  排出側電磁弁
Ｖ３  バイパスライン用電磁弁
【図１】
2010029376.tif 000003
【図２】
2010029376.tif 000004
【図３】
2010029376.tif 000005
【図４】
2010029376.tif 000006